(57)【特許請求の範囲】
【請求項１】
結束器具のバンド切断装置であって、
切断縁と、前記切断縁から離間した変形縁とを有するナイフ、
前記ナイフを動作可能に受け入れる第１のチャネルであって、前記ナイフは、該第１のチャネルの開口した遠位端から離れる第１の使用位置、及び、前記第１のチャネルの遠位端に隣接する第２の使用位置をとることが可能である、第１のチャネル、並びに
バンドを受け入れるように適合されている第２のチャネルであって、前記第１のチャネルの遠位端付近の第１の開口、及び、該第１の開口から離間した第２の開口を有し、前記第１の開口はブレードの縁を更に含み、該ブレードの縁は、前記第２のチャネル内で、前記第１のチャネルの遠位端と前記ブレードの縁との間に位置決めされるバンドを切るように前記ナイフと協働する、第２のチャネル、を備えており、
前記切断縁は前記ブレードの縁と協働して前記バンドを切り、前記変形縁は、前記バンドに関連するバックルに接触して該バックルを変形させるように適合されている、バンド切断装置。
【請求項２】
前記第１のチャネルは、第１の平面的な面、第２の平面的な面及び第３の平面的な面を含む内部のプロファイルを有し、前記第２の平面的な面及び前記第３の平面的な面は、前記第１の平面的な面に対して直交する、請求項１に記載の装置。
【請求項３】
前記ナイフは、前記第１のチャネルの第２の平面的な面及び第３の平面的な面に対応する第１の外側面及び第２の外側面を有する、請求項２に記載の装置。
【請求項４】
前記第１のチャネル及び前記第２のチャネルは直交する、請求項１に記載の装置。
【請求項５】
前記ナイフは、ピンによってカッタアームに動作可能に相互接続され、該カッタアームの回転によって前記ナイフが前記第１の使用位置から前記第２の使用位置に移動する、請求項１に記載の装置。
【請求項６】
前記第１のチャネル及び前記第２のチャネルは、前記ブレードに形成される、請求項１に記載の装置。
【請求項７】
バンド切断装置は、前記結束器具のヘッドに相互接続する手段を更に備える、請求項６に記載の装置。
【請求項８】
前記第１のチャネルの壁は、前記ナイフの外側プロファイルに略対応する、請求項１に記載の装置。
【請求項９】
平面的な面によって画定される第１のチャネルを有するブレード部材であって、前記第１のチャネルの第１の開口から離間したブレードの縁も有する、ブレード部材を有する、結束器具において使用されるように適合されているナイフであって、
前記ブレード部材の第１のチャネルの対応する平面的な面に対応する第１の外側面及び第２の外側面、
前記ブレードの縁と協働してバンドを切る切断縁、並びに
前記切断縁から離間したバックル変形縁であって、前記バンドに関連するバックルに接触して該バックルを変形させるように適合されている、バックル変形縁、を備える、ナイフ。
【請求項１０】
前記ブレード部材は、前記バンドを受け入れるように適合されている第２のチャネルであって、前記第１のチャネルの第１の開口付近の第１の開口、及び、第２のチャネルの第１の開口から離間した第２の開口を有する、第２のチャネルを含み、前記第２のチャネルの第１の開口はブレードの縁を含み、ブレードの縁は、前記第２のチャネル内で、前記第１のチャネルの第１の開口とブレードの縁との間に位置決めされる前記バンドを切るように前記ナイフと協働する、請求項９に記載のナイフ。
【請求項１１】
前記ナイフは、ピンによってカッタアームに動作可能に相互接続され、該カッタアームの回転によって前記ナイフが第１の使用位置から第２の使用位置に移動する、請求項９に記載のナイフ。
【発明の詳細な説明】
【技術分野】
【０００１】
本発明の実施形態は、物体の周りにケーブルタイを固定する方法及び装置に関し、特に、ケーブルタイの引っ張りを容易にする比較的コンパクトな結束器具に関する。
【背景技術】
【０００２】
「バンドクランプ」と称されることもあるケーブルタイは通常、配線を束ね、シェルをケーブルに固定し戻し、遮熱体をパイプに固定し、標識をポールに固定するのに使用される。ケーブルタイは概して、所定の張力が達成された後でバンドの自由端を固定するバックルとして働く相互接続されるヘッドを有するバンドから構成される。幾つかのバンドは、一体化されたヘッドの代わりに、バンドの自由端を固定するのに使用される、動作可能に相互接続されるバックル又はシールを有する。
【０００３】
引っ張り器具はケーブルタイを締め付けるのに使用される。例えば、参照により本明細書に援用される特許文献１に記載されている引っ張り器具は、結束される物体の周りでバンドを引っ張る、バンドの一部を繰り返し把持して移動させるバンド把持機構（「引っ張りブロック」とも称される）を用いる。より具体的には、バンドを引っ張るために、引っ張りブロックは、バンドの長さに沿って、結束される物体に概ね向かって、第１の方向に最初に移動される。引っ張りブロックは次に、バンドに係合し、結束される物体から概ね離れるように移動してバンドを徐々に引っ張る。引っ張りブロックは、バンドの幅に沿う向きである軸を有する円筒形のピンによってバンドを把持する。円筒形のピンは、引っ張りブロックが結束される物体から引き離されるときに、ばね又は他の付勢装置によって付勢され、バンドにしっかりと係合することを確実にする。引っ張りブロックは、結束される物体から離れるようにその全範囲を移動した後で、バンドから解放されるため、バンド上の別の位置まで移動し、別の増強された引っ張りサイクルを開始することができる。引っ張りブロックが移動するとき、バンドの張力は、引っ張りブロックと結束される物体との間でバンドに選択的に接触する前方把持体によって維持される。
【０００４】
図１は、従来技術のバンド締め付け器具２を示し、上述した引っ張りステップを示している。より具体的には、引っ張りブロック６及び引っ張りブロック６から離間した前方把持体１０である。バンド１４は、引っ張りブロック６及び前方把持体１０の双方を通り抜ける。引っ張りブロック６は、遠位端２６よりも結束される物体２２に近い近位端１８を含む。引っ張りブロック６の破線の外形は、物体２２に向かう近位端１８の移動を表している。引っ張りブロック６は、引っ張りブロック６を通過するときにバンド１４を支持するプラットフォーム３０を更に含む。引っ張りブロック６は、引っ張りブロック６の近位端１８に向けてプラットフォーム３０に向かって傾斜する横方向開口３４も含む。引っ張りブロック６は、横方向開口３４内に動作可能に位置決めされるとともに移動可能である把持ピン（又は把持部）３８を更に含む。把持ピン３８は、矢印４０の方向に把持ピン３８を移動させてバンド１４にしっかりと係合させる付勢部材（図示せず）によって付勢される。引っ張りブロック６が矢印４４の方向に移動するとき、把持ピン３８は付勢されず、バンド１４の表面上で摺動可能である。しかし、引っ張りブロック６が物体２２から離れるように（すなわち矢印４８の方向に）移動するとき、把持ピン３８は、横方向開口３４の近位端５２に向かって移動し、バンド１４に摩擦係合して把持する。
【０００５】
前方把持体１０は、傾斜した横方向開口５６、及び、開口５６内で移動する把持ピン６０も含む。把持ピン６０は、開口５６の近位端６４に向かって付勢される。引っ張りブロック６がバンド１４を引っ張らないとき、すなわち、矢印４４の方向に移動するとき、前方把持体１０の把持ピン６０は、バンド１４に摩擦係合するため、バンド１４は、矢印６８の方向に作用するバンド引っ張り反力によって緩まない。引っ張りブロック６は、前方把持体１０に向かうその移動を完了すると、方向を反転し、それによって、把持ピン３８をバンド１４にしっかりと係合させて矢印４８の方向に引く。矢印４８の方向へのバンド１４の移動によって、把持ピン６０がバンド１４から離脱し、それによって、バンド１４がバンド締め付け器具２内に引き込まれることを可能にする。
【０００６】
図２は、ブレード７０の工具ヘッド７４との相互接続を示している。ここで、従来技術のブレード７０は、工具ヘッド７４の側壁に取り付けられるピン７８を介して工具ヘッド７４に回転可能に相互接続されて示されている。ナイフ８２によって生成される、ブレード７０に作用する力は、ピン７８によって反力を受ける。力は、ピン７８を通じて工具ヘッドの側壁にも伝わり、これは多くの場合に工具ヘッドの側壁を脆くするか又は損傷を与える。
【０００７】
引っ張りブロック及び前方把持部がそれらのそれぞれの役割を果たした後で、バンドは切られてクランプされ、すなわち、バックル又はシールにロックされる。静止ブレードが前方把持部の下に設けられ、可動ナイフが前方把持部の前方に設けられる。ナイフは、ブレードに対して移動し、それらの間に位置付けられるバンドを切る。より具体的には、所望のバンドの張力が達成されると、連結機構を使用してナイフをブレードに近づけ、これによってバンドを圧縮して最終的にはバンドを切る。ナイフの縁とブレードの縁との間の隙間は、好ましくは、多くの切断サイクルの後であっても、バンドが最も効果的に切断されることを確実にする所定の許容値内に維持される。
【０００８】
従来技術の引っ張り器具の１つの欠点は、ナイフからの下方への圧力が、バンドを通じてブレードに伝わり、これによって、ブレードに応力をかけるとともに、その有効性に悪影響を与えることである。ブレードの縁が、ブレードの取り付け点、すなわち、ブレードの切断縁に作用する圧力が反力を受ける位置から離間しているため、バンドの切断も悪影響を受ける。経時にわたって、ブレードは曲がりやすい可能性があり、これが疲労及び最終的には故障につながり得る。
【０００９】
切断によってブレードが最終的に脆くなり、降伏又は破砕する。残念ながら、故障率及び故障モードは予測不可能であり、ブレードは、１００個、２００個又は１０００個のバンドが引っ張られた後で故障する可能性がある。ブレードが故障すると、器具は、ブレード又はナイフの交換のためにエンドユーザから工場に送られるが、これは高価であり、費用がかかるし時間もかかる。
【００１０】
上記で示唆したように、従来技術の器具によるブレードの支持は理想的ではなく、ブレードの損傷が一般的である。主な故障モードは、ブレードの縁の劣化であり、幾つかの例では、破砕である。より具体的には、従来技術の器具のブレードは、器具ヘッドに回転可能に相互接続される。さらに、幾つかの従来技術の器具のブレードは、ナイフがナイフとブレードとの間に位置決めされるバンドに接触すると、ブレードの外側切断縁において生成される負荷に反応するように工具ヘッドに係合する内部の非切断縁を有する。この複雑な設計は、一方の縁が損傷したときに、ブレードを取り外して回転させ、以前に使用されていないブレードをナイフに隣接して位置付けることができるように、２つの縁を有するブレードを提供するという要求からくる。
【００１１】
従来技術の引っ張り器具の別の欠点は、ナイフが滑らかに連続的に移動せず、したがって、ナイフとブレードとの間の隙間に一貫性がなく、切断性能に影響を与え、ブレードの負荷を高める可能性があることである。例えば、ナイフの切断縁とブレードの切断縁との間のスペースが広すぎる場合、ナイフの移動は、材料がブレードの縁においてナイフの縁との間で変形するため、バンドを切るには不十分であり得る。隙間が狭すぎる場合、ナイフによって生成される過剰な負荷がブレードに伝わり、損傷を引き起こす。
【先行技術文献】
【特許文献】
【００１２】
【特許文献１】米国特許第５５６６７２６号明細書
【発明の概要】
【発明が解決しようとする課題】
【００１３】
上記を考慮して、ナイフとブレードとの間の許容差を維持し、これによってブレードの寿命を延ばすような結束器具が必要とされている。
【課題を解決するための手段】
【００１４】
本発明の１つの態様によると、第１の長手方向軸が通る引っ張り機構を含むバンド引っ張り器具が提供される。引っ張り機構は、器具ハンドル内の力貯蔵装置を備える。張力調整プランジャ、張力調整ねじ及び連結ロッドが、力貯蔵装置及び張力伝達装置に相互接続される。１つの実施形態では、力貯蔵装置は、調整プランジャによって所望の量まで予め圧縮される圧縮ばねである。
【００１５】
張力伝達装置は、引っ張り装置及び引っ張りブロックに相互接続される張力伝達レバーを含む。少なくとも１つの押しリンクが、その第１の端が引っ張り装置に接続され、第２の端がレバーアームに接続される。細長いスロット及び張力ピンを有する引っ張りブロックがレバーアームに接続され、引っ張りブロックはバンドを引いて張力をかける。
【００１６】
更にまた別の態様では、本発明は、弓形の切断縁及びヘッド変形縁を有するナイフを提供する。より具体的には、本発明の１つの実施形態の切断縁は、バンドに最初に接触し、ブレードとともにバンドを切るのに使用される。その後、ナイフの変形縁が、ケーブルタイのロック要素、例えばケーブルタイヘッドに接触するように適合されており、ケーブルタイヘッドを変形させる。ヘッドを変形させることによって、その幾何学的形状を変化させ、したがって、その慣性モーメント及び強度を変化させる。ヘッドがバンドの張力を維持するように設計されているため、ヘッドの剛性の増大によって、ケーブルタイの保持される力が最大限になる。本発明の１つの実施形態のナイフは、鋭利な角部も除去し、滑らかな切断を提供し、これは安全性にとって望ましい。
【００１７】
本発明の実施形態の器具は、種々のタイプのバンドクランプ及びケーブルタイを引っ張って固定するように設計されている。意図される器具の幾つかのバージョンは、米国特許第４８９６４０２号明細書に記載されている、Ｔｉｅ−Ｄｅｘの商標下で本願の譲受人によって市販されているケーブルタイを固定するのに適している。ケーブルタイの重量を低減することが多くの場合に望ましく、これは、タイの厚さが低減される場合に達成することができる。したがって、本発明の実施形態の１つの態様は、焼き戻しされたステンレス鋼から作られる、低減された厚さのケーブルタイを提供する。低減された直径の結束が必要とされる用途では、より薄いバンドが、現在のケーブルタイよりも良好に機能する。
【００１８】
既存の器具は多くの場合に、より薄いケーブルタイを切断することが困難である。より具体的には、カッタナイフ（移動部分）とブレード（静止部分）との間の許容差の積み重ねのために、切断に影響を与える２つの構成要素間の隙間が経時にわたって変わり得る。多くの場合に、隙間は通常、経時にわたって増大し、ケーブルタイは、ナイフがブレードを通過するときに、切られるのではなく変形する。したがって、本発明の別の態様は、ブレードの切断面とナイフとの間の距離を制御する。これらの２つの構成要素間の厳しい許容差を維持することによって、より薄いバンドを形成し、曲げることなく切ることができる。
【００１９】
本発明の１つの実施形態は、一体化されたナイフハウジングを有するブレードを含むことによって、厳しい許容差を維持するというこの目的を達成する。ナイフハウジングは、ナイフを摺動して受け入れるチャネルを含む。このように、ナイフの移動がナイフチャネルによって制限されるため、ナイフとブレードとの間の許容差が維持される。ブレードの縁も、ブレードの縁付近の荷重点と相互作用し、これによってブレードに作用する、損傷を与える負荷を低減する。さらに、ナイフとブレードの縁との間の許容差を維持することによって、多くの使用の後で、これらの２つの構成要素間の隙間を維持することができる。
【００２０】
本発明の更なる態様が、以下の実施形態において提供される。
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備える、バンド切断装置。
【００２１】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、第１のチャネルは、第１の平面的な面、第２の平面的な面及び第３の平面的な面を含む内部のプロファイルを有し、第２の平面的な面及び第３の平面的な面は、第１の平面的な面に対して略直交する、バンド切断装置。
【００２２】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、第１のチャネルは、第１の平面的な面、第２の平面的な面及び第３の平面的な面を含む内部のプロファイルを有し、第２の平面的な面及び第３の平面的な面は、第１の平面的な面に対して略直交し、ナイフは、第１のチャネルの第２の平面的な面及び第３の平面的な面に対応する第１の外側面及び第２の外側面を有する、バンド切断装置。
【００２３】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、第１のチャネル及び第２のチャネルは直交する、バンド切断装置。
【００２４】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、ナイフは、バンドを切るようにブレードの縁と協働する切断縁、及び、切断縁から離間したバンド変形縁であって、バンドに関連するバックルに接触してバックルを変形させるように適合されている、バンド変形縁を含む、バンド切断装置。
【００２５】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、ナイフは、ピンによってカッタアームに動作可能に相互接続され、カッタアームの回転によってナイフが第１の使用位置から第２の使用位置に移動する、バンド切断装置。
【００２６】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、ナイフチャネル及びバンドチャネルは、同じ材料の均質な片に形成される、バンド切断装置。
【００２７】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、ナイフチャネル及びバンドチャネルは、同じ材料の均質な片に形成され、結束器具のヘッドに相互接続する手段を更に備える、バンド切断装置。
【００２８】
結束器具のバンド切断装置であって、ナイフ、ナイフを動作可能に受け入れる第１のチャネルであって、ナイフは、第１のチャネルの開口した遠位端から離れる第１の使用位置、及び、第１のチャネルの遠位端に隣接する第２の使用位置をとることが可能である、第１のチャネル、並びに、バンドを受け入れるように適合されている第２のチャネルであって、第１のチャネルの遠位端付近の第１の開口、及び、第１の開口から離間した第２の開口を有し、第１の開口はブレードの縁を更に含み、ブレードの縁は、第２のチャネル内で、第１のチャネルの遠位端とブレードの縁との間に位置決めされるバンドを切るようにナイフと協働する、第２のチャネル、を備え、第１のチャネルの壁は、ナイフの外側プロファイルに略対応する、バンド切断装置。
【００２９】
平面的な面によって画定されるチャネルを有するブレード部材であって、チャネルの開口から離間したブレードの縁も有する、ブレード部材を有する、結束器具において使用されるように適合されているナイフであって、ブレード部材のチャネルの対応する平面的な面に対応する第１の外側面及び第２の外側面、バンドを切るようにブレードの縁と協働する切断縁、並びに、切断縁から離間したバンド変形縁であって、バンドに関連するバックルに接触してバックルを変形させるように適合されている、バンド変形縁、を備える、ナイフ。
【００３０】
平面的な面によって画定されるチャネルを有するブレード部材であって、チャネルの開口から離間したブレードの縁も有する、ブレード部材を有する、結束器具において使用されるように適合されているナイフであって、ブレード部材のチャネルの対応する平面的な面に対応する第１の外側面及び第２の外側面、バンドを切るようにブレードの縁と協働する切断縁、並びに、切断縁から離間したバンド変形縁であって、バンドに関連するバックルに接触してバックルを変形させるように適合されている、バンド変形縁、を備え、ブレード部材は、バンドを受け入れるように適合されている第２のチャネルであって、チャネルの開口付近の第１の開口、及び、第１の開口から離間した第２の開口を有する、第２のチャネルを含み、第１の開口はブレードの縁を含み、ブレードの縁は、第２のチャネル内で、第１のチャネルの遠位端とブレードの縁との間に位置決めされるバンドを切るようにナイフと協働する、ナイフ。
【００３１】
平面的な面によって画定されるチャネルを有するブレード部材であって、チャネルの開口から離間したブレードの縁も有する、ブレード部材を有する、結束器具において使用されるように適合されているナイフであって、ブレード部材のチャネルの対応する平面的な面に対応する第１の外側面及び第２の外側面、バンドを切るようにブレードの縁と協働する切断縁、並びに、切断縁から離間したバンド変形縁であって、バンドに関連するバックルに接触してバックルを変形させるように適合されている、バンド変形縁、を備え、ナイフは、ピンによってカッタアームに動作可能に相互接続され、カッタアームの回転によってナイフが第１の使用位置から第２の使用位置に移動する、ナイフ。
【００３２】
発明の概要は、本発明の全ての程度及び範囲を表すものとしては意図されず、そのように解釈されるべきでもない。さらに、本明細書においてなされる、「本発明」又はその態様への言及は、本発明の特定の実施形態を意味するように理解されるべきであり、全ての実施形態を特定の説明に限定するものとして必ずしも解釈されるべきではない。本発明は、発明の概要並びに添付の図面及び発明の詳細な説明において種々の詳細なレベルで記載され、本発明の範囲に関する限定は、この発明の概要において要素、構成要素等を含めること又は含めないことによって意図されない。これら及び他の利点は、本明細書において含まれる発明（複数の場合もあり）の開示から明らかである。上述した実施形態、目的及び構造は、完全でも網羅的でもない。理解されるように、本発明の他の実施形態は、単独で又は組み合わせて、上記で記載したか又は後述する特徴のうちの１つ又は複数を使用して可能である。
【００３３】
本明細書の一部に援用されるとともにそれを構成する添付の図面は、本発明の実施形態を示し、上記で与えられた発明の包括的な説明及び以下で与えられる図面の詳細な説明とともに、これらの発明の原理を説明する役割を果たす。
【図面の簡単な説明】
【００３４】
【図１】従来技術のバンド引っ張り装置を示す断面図である。
【図２】従来技術のナイフ及びブレードを示す断面図である。
【図３】本発明の１つの実施形態の側面図である。
【図４】図３の底面斜視図である。
【図５】図３の側面図とは反対側の側面図である。
【図６】別の底面斜視図である。
【図７】本発明の１つの実施形態の断面図である。
【図８】本発明の１つの実施形態の部分分解図である。
【図９】本発明の１つの実施形態の上面斜視図である。
【図１０】本発明の１つの実施形態のブレードの詳細図である。
【図１１】本発明の１つの実施形態のブレード及びナイフを示す斜視図である。
【図１２】本発明の１つの実施形態のブレードの斜視図である。
【図１３】本発明の１つの実施形態のブレードの断面図である。
【図１４】本発明の１つの実施形態のナイフを示す斜視図である。
【図１５】結束器具が空気圧装置である、本発明の代替的な実施形態である。
【発明を実施するための形態】
【００３５】
図面は必ずしも縮尺通りではない。特定の例では、本発明の理解に必要ではないか又は他の細部の把握を困難にする細部は、省かれている場合がある。当然ながら、本発明は、本明細書において示される特定の実施形態に必ずしも限定されるものではない。
【００３６】
図３〜図６は、バンド及びバンドロックヘッドを備えるバンドクランプを引っ張って固定するように設計されている本発明の実施形態の結束器具１００を示している。結束器具１００は、ハンドル１０８に相互接続されるヘッド１０４を含む。引っ張りハンドル１１２及び切断ハンドル１１６が、ヘッド１０４に回転可能に相互接続され、ハンドル１０８に対して移動する。フック１２０もヘッド１０４に回転可能に相互接続され、ヘッド１０４に挿入されるバンドの張力を固定するように適合されている。ヘッド１０４は、ナイフ１２８に動作可能に関連するブレード１２４も収容する。既存の結束器具におけるように、前方把持部１３２を使用して、引っ張りハンドル１１２の操作によってバンドを引っ張る。本発明のこの実施形態の操作は、上記で言及した特許文献１（米国特許第５５６６７２６号明細書）において示されているとともに記載されている操作と非常に似ている。
【００３７】
図７及び図８は、本発明の１つの実施形態の内部の仕組みを示している。ハンドル１０８は、ロッド１４０の周りに位置決めされるばね１３６を含む。ロッド１４０は、伝達レバー１４４と協働し、バンドに加えることができる張力の量を決定する。動作時に、引っ張りハンドル１１２は、ハンドル１０８に接離するようにサイクルし、引っ張りブロック１４８及び把持部を移動させ、バンド１５６を引っ張る。この場合も同様に、特許文献１（米国特許第５５６６７２６号明細書）において説明されているように、ハンドル１０８内のばね１３６の位置が、バンドに加えることができる最大限の張力を決定する。所望の張力が達成されると、フック１２０がハンドル１０８に向かって移動し、バンドを所望の張力においてロックする。次に、切断ハンドル１１６が、ハンドル１０８に向かって回転し、これによってカッタアーム１６０を回転させるとともにナイフ１２８を下方に移動させてバンド１５６を切る。この場合も同様に、本発明のこの実施形態によって意図される機構は、上記で言及した本出願人の特許と同様である。
【００３８】
図９〜図１３は、本発明の幾つかの実施形態の改良されたブレード１２４及びナイフ１２８を示している。より具体的には、従来技術のブレードの代わりに、ヘッド１０４に静的に相互接続されるハウジング１６４が用いられる。ハウジング１６４は、ブレード１２４と一体化されたナイフチャネル１６８とを含む。ナイフチャネル１６８は、ナイフチャネル１６８内でのナイフ１２８の大きな回転を防止する正方形のプロファイルを有することができる。ブレード１２４も、バンドを受け入れるチャネル１７２を含む。図１３に示されているように、バンドチャネル１７２は、ブレードの縁がバンドの下に位置決めされ、ナイフ１２８がバンドの上に位置決めされるように、バンドを受け入れるよう適合されている。
【００３９】
図１１を参照すると、動作時に、切断ハンドル１１６が作動されると、カッタアーム１６０が矢印１７８に沿って回転し、これによってナイフ１２８が矢印１７８に沿って下方に移動してバンドを切る。以下で詳細に記載するように、この構造は、ステンレス鋼バンドを切ることができるように、ブレードの縁とナイフ１２８との間の許容差を維持する。
【００４０】
図１４は、切断縁１８０及び変形縁１８４を含む本発明の１つの実施形態のナイフ１２８を示している。すなわち、ナイフ１２８は、弓形の切断縁１８０及びケーブルタイヘッド変形縁１８４を用いることができる。切断縁１８０は、バンド１５６に最初に接触し、ブレードとともに、バンド１５６を切るのに使用される。その後、変形縁１８４は、ケーブルタイのロック要素、例えばケーブルタイヘッドに接触し、ケーブルタイヘッドを変形させる。
【００４１】
本明細書において記載する器具は、図１５に示されているように空気圧式に動作するようにすることができる。より具体的には、空気圧力を使用して引っ張りブロック及び本明細書において記載される他の関連する構成要素を動作させるように、引っ張りアーム及び切断ハンドルの代わりに、空気圧システム２００を用いることができる。そのようなシステムは、上述した本出願人の特許に記載されている。
【００４２】
本発明の種々の実施形態を詳細に記載したが、それらの実施形態の変更形態及び変形形態が当業者には想起されることが明らかである。しかし、以下の特許請求の範囲において記載されるように、そのような変更形態及び変形形態が本発明の範囲及び主旨内にあることが明確に理解されるべきである。さらに、本明細書において記載される本発明（複数の場合もあり）は、他の実施形態、並びに、種々の方法で実施又は実行することが可能である。加えて、本明細書において用いられる表現及び用語は、説明のためのものであり、限定するものとみなされるべきではない。「含む」、「備える」又は「有する」及びそれらの変化形の使用は、本明細書では、その前に列挙されるアイテム及びそれらの均等物、並びに、付加的なアイテムを包含することが意図される。
【００４３】
本発明の１つの実施形態の理解を助けるために、構成要素の以下のリスト及び図面において見られる関連する番号付けを本明細書において提供する。
【符号の説明】
【００４４】
２…バンド締め付け器具、６…引っ張りブロック、１０…前方把持部、１４…バンド、１８…近位端、２２…物体、２６…遠位端、３０…プラットフォーム、３４…横方向開口、３８…把持ピン、５２…近位端、５６…横方向開口、６０…把持ピン、６４…近位端、７０…ブレード、７４…器具ヘッド、７８…ピン、８２…ナイフ、１００…結束器具、１０４…ヘッド、１０８…ハンドル、１１２…引っ張りハンドル、１１６…切断ハンドル、１２０…フック、１２４…ブレード、１２８…ナイフ、１３２…前方把持部、１３６…ばね、１４０…ロッド、１４４…伝達レバー、１４８…引っ張りブロック、１５２…把持部、１５６…バンド、１６０…カッタアーム、１６４…ハウジング、１６８…ナイフチャネル、１７２…チャネル、１７６…ブレードの縁、１７８…矢印、１８０…切断縁、１８４…変形縁、２００…空気圧器具。
【図１】
0006773644.tif 000002
【図２】
0006773644.tif 000003
【図３】
0006773644.tif 000004
【図４】
0006773644.tif 000005
【図５】
0006773644.tif 000006
【図６】
0006773644.tif 000007
【図７】
0006773644.tif 000008
【図８】
0006773644.tif 000009
【図９】
0006773644.tif 000010
【図１０】
0006773644.tif 000011
【図１１】
0006773644.tif 000012
【図１２】
0006773644.tif 000013
【図１３】
0006773644.tif 000014
【図１４】
0006773644.tif 000015
【図１５】
0006773644.tif 000016